(57)【特許請求の範囲】
【請求項１】
筒状に形成された発泡機本体と、該発泡機本体の先端側に設けられた発泡網と、前記発泡機本体内部の後端側に設けられ、前記発泡網に向かって泡水溶液を放出する放射ノズルと、前記発泡機本体内に取り付けられ、前記発泡網と前記放射ノズルの間に設けられた中間網と、を備え、前記発泡機本体に取り付けられる、前記中間網の外周と前記発泡網の外周とが所定の距離を離して設けられる高膨張泡消火設備において、
前記中間網の開口率は、前記発泡網の開口率よりも大きく形成され、
前記中間網は、前記放射ノズルから放出される泡水溶液の放射パターンの外周が前記発泡機本体の内壁に当たる位置より前記発泡網側に設けられ、
前記中間網と前記発泡網の間に、前記中間網の外周と前記発泡網の外周とを前記所定の距離を離すことで前記発泡機本体内に形成される、泡が溜まることを防止するための空間である泡溜り防止部が設けられることを特徴とする高膨張泡消火設備。
【発明の詳細な説明】
【技術分野】
【０００１】
本発明は火災を消火する高膨張泡消火設備に関するものである。
【背景技術】
【０００２】
高膨張泡消火設備とは、放射ノズルから泡水溶液を放出し、放出された泡水溶液を発泡網に当てることにより発泡させ、火源を泡で埋め尽くし、窒息消火させる設備である。その発泡倍率は、一般に５００倍以上となる。
【０００３】
発泡倍率を増加させる方法として、放射ノズルから放出される泡水溶液の放出速度を落とす方法が考えられ、その方法として、例えば特許文献１においては、発泡網と放射ノズルの間に流速制御用の金網（以下、中間網という）を設けている。
【特許文献１】実開平５−５３６６０号公報
【発明の開示】
【発明が解決しようとする課題】
【０００４】
この特許文献１の発泡機は、発泡機本体の先端に円錐状の発泡網の外周端部が取付けられ、その取付位置において、発泡網と密接させて中間網が設けられる。この状態で、放射ノズルからの泡水溶液が中間網を通過すると、泡水溶液の一部が発泡する。
【０００５】
このため、中間網が発泡網と密接して設けられていると、中間網によって生じた泡が、発泡網と中間網の取付位置におけるわずかな隙間に溜まってしまう。そうすると、十分な空気が取り込みにくくなり、発泡網からうまく発泡が行えなくなってしまう。
【課題を解決するための手段】
【０００６】
本発明は、筒状に形成された発泡機本体と、該発泡機本体の先端側に設けられた発泡網と、発泡機本体内部の後端側に設けられ、発泡網に向かって泡水溶液を放出する放射ノズルと、発泡機本体内に取り付けられ、発泡網と放射ノズルの間に設けられた中間網と、を備え、発泡機本体に取り付けられる、中間網の外周と発泡網の外周とが所定の距離を離して設けられる高膨張泡消火設備において、中間網の開口率は、発泡網の開口率よりも大きく形成され、中間網は、放射ノズルから放出される泡水溶液の放射パターンの外周が発泡機本体の内壁に当たる位置より発泡網側に設けられ、中間網と発泡網の間に、中間網の外周と発泡網の外周とを所定の距離を離すことで発泡機本体内に形成される、泡が溜まることを防止するための空間である泡溜り防止部が設けられることを特徴とするものである。
【発明の効果】
【０００７】
本発明は、発泡網から所定の距離を離して中間網が設けられる。これにより、中間網と発泡網の間に泡溜り防止部が形成される。ここで、泡溜り防止部が形成されるのは、中間網が発泡網と距離を離して設けられることから、中間網は放射ノズルとの距離が短くなる。このため、泡水溶液が中間網に当っても、泡水溶液の水流が強く、液滴の状態で中間網を通過し、中間網では泡が生じ難くなる。よって、中間網と発泡網との間の空間は泡が溜まらない泡溜り防止部となる。
【０００８】
よって、発泡網から外へ泡を放出する際には、十分な空気を取り込んで、より効率よく発泡させることができる。
【発明を実施するための最良の形態】
【０００９】
以下本発明の実施の形態を、図面を用いて説明する。図１は本発明の高膨張泡消火設備の横断面図、図２は本発明の第１実施例の中間網の正面図、図３は本発明の第２実施例の中間網の正面図である。
１は筒状に形成された発泡機本体で、先端側には波状に折り曲げられた発泡網２が取り付けられ、後端側には消火区画の空気を吸引するための開口部６が設けられる。
【００１０】
発泡機本体１の内部には、泡水溶液Ｗを放射状に放出するための放射ノズル３が設けられている。放射ノズル３の位置は、発泡網２から十分な放射距離を置いて発泡機本体１の後端側に設けられる。この放射距離は、泡水溶液Ｗの放出によって、発泡機本体１の内部が減圧し、開口部６から十分に空気を取り込める程度の距離である。
４は中間網で、発泡網２から所定の距離ｄ、例えば、５〜２０ｃｍの距離を離した位置に設けられ、発泡機本体１内部に垂直に設けられる。
【００１１】
所定の距離ｄについて、実験結果を元にさらに詳しく述べると、所定の距離ｄが０ｃｍの場合、発泡倍率は５４５倍になる。次に、所定の距離ｄが１５ｃｍの場合、発泡倍率は６１５倍となり、発泡倍率の増加が見られた。なお、所定の距離ｄを２０ｃｍより大きくすることも考えられるが、放射ノズル３と中間網４の間の距離を固定させ、中間網から発泡網を離そうとすると、発泡機本体１の長さが伸びてしまい、発泡機本体１が大型化してしまうことから、２０ｃｍ程度とした。
【００１２】
また、放射ノズル３によって放出される泡水溶液Ｗは、放射状に放出され、大部分は中間網４に衝突し、放出速度を落とした後、発泡網２に当たる。しかし、その外側方向に放出された泡水溶液Ｗの一部は中間網４に当たる前に、発泡機本体１の内壁に当たる。ここで、中間網４は放射ノズル３から放出された泡水溶液Ｗの発泡機本体１の内壁に当たる位置より発泡網２側に位置している。より具体的に言うと、円錐状に放射された泡水溶液Ｗの放射パターンの外周と、発泡機本体１の内壁が当る位置よりも発泡網２側に中間網４を垂設する。
中間網４について、より詳細に説明する。中間網４の大きさは、発泡機本体１の軸方向と垂直に交わる断面と同じ大きさである。図２に示すように、中間網４は、外周の全部を折り曲げて作られた取付部７に、ビス８などを用いて発泡機本体１の内壁に取り付けられる。中間網は主に泡水溶液Ｗの流速を減速させる手段として機能し、その開口率は、発泡網２のそれより大きく形成され、例えば、線径０．５〜１ｍｍ、空間目２．５〜３ｍｍのものを使用して、６０〜７０％程度の開口率となっている。
【００１３】
５は泡溜り防止部で、中間網４と発泡網２の間に設けられる。ここで、泡溜り防止部５とは、放射ノズルの放出時に、中間網４と発泡網２の間に泡が溜まるのを防止するために設けられた十分に大きい空間である。
次に、図１を用いて本実施例の作動について説明する。室内で火災が発生すると、図示しない火災感知器が火災を検知し、図示しない制御盤に火災信号を送出し、制御盤は、高膨張泡消火設備を起動させる。そうすると、図示しないポンプが作動し、原液タンク内の泡原液が、混合器によって水に対して一定濃度に混合され、放射ノズル３から泡水溶液Ｗが放出される。その放出に伴って、発泡機本体１に消火区画の空気、即ち、発泡機本体１が配設されている近傍の部屋の空気が吸引される。
【００１４】
前記泡水溶液Ｗは、中間網４に当って減速した後、発泡網２に当るが、その速度は中間網４を設けていない場合と比較して遅くなる。そのため、室内に煙のある状況下であっても、発泡倍率が低下しにくくなり、泡水溶液Ｗは、効率よく泡を形成することができる。
この点について詳しく説明すると、一般に、高膨張泡消火設備によって作られる泡は、泡原液に含まれる界面活性剤の二層膜であり、親水領域を挟む内側薄膜と外側薄膜とから構成されているが、前記両薄膜は並んで同時に形成されながら、空気を抱え込み、泡状態になるといわれている。そして、煙粒子などの異物が存在すると発泡率が良くないのは、前記両薄膜の形成が追いつかなくなり、標準設定で放射ノズル３を運転した場合には、放射された泡水溶液Ｗの液滴の速度が速すぎて、前記両薄膜を並んで同時に形成することができなくなり、発泡網２の網目を通り抜けてしまうためである。
【００１５】
そこで、中間網４が発泡網２と放射ノズル３の間に設けられることで、泡水溶液Ｗが中間網４にあたり、その放出速度が落とされる。従って、放出速度が前記両薄膜を並んで同時に形成するのに適した速度となるので、効率よく泡を形成することができる。
【００１６】
ところで、発泡網２と放射ノズル３との間に中間網４を設けると、放射ノズル３から放出された泡水溶液Ｗの大部分はそのまま通過するが、その一部は通過する際、発泡し、中間網４の二次側（図の左側）に流れ込む。
ここで、中間網４によって生じる泡は、泡水溶液Ｗの放射速度の関係から、中間網２が放射ノズル３から離されて設けられるほど、泡が生じやすくなる。
【００１７】
このとき、中間網４が発泡網２に密接して設けられると、両者の間には隙間がほとんど無いことも影響して、中間網４で生じた泡は発泡網２と中間網４の間の空間に溜まりやすくなる。このため、生じた泡が発泡網２の網目を塞いでしまうので、発泡網２の面積が一部利用できなくなってしまう。
【００１８】
これに対し本発明では、中間網４は、発泡網２との間に泡溜り防止部５が形成されるように、十分な距離を離して設けてあり、言い換えれば、両者の間には十分な空間が存在する。ここで、泡溜り防止部５が形成されるのは、中間網４が発泡網２と距離を離して設けられることから、中間網４は放射ノズル３との距離が短くなる。このため、泡水溶液Ｗが中間網２を通過しても、泡水溶液Ｗの水流が強いため、液滴の状態で中間網４を通過するので、中間網４では泡が生じ難くい。
【００１９】
また、泡水溶液Ｗが中間網４を通過する際に、泡を生じたとしても、その泡は、後から来る泡水溶液Ｗで発泡網側２へ押し流されていき、さらに中間網４と発泡網２との間には、十分に大きな空間があることから、その空間内が泡によって満たされることは無い。こうして、泡溜り防止部５には泡が溜まらない。従って発泡網２を泡水溶液Ｗが通過する際には、十分に空気を取り込んで発泡することができる。
【００２０】
続いて、中間網４の他の実施例を、図３を用いて説明する。図３で示されている中間網４は、パンチングによって１枚の金属板に穴４ａが縦横等間隔に開けられていて、６０〜７０％程度の開口率となっている。
【００２１】
取付部７は、金属板の外周の一部を折り曲げて取付部７を形成しているが、その位置は必要に応じて適宜選択される。なお、パンチングによって開けられる穴４ａの形状は必要に応じて適宜選択される。
【図面の簡単な説明】
【００２２】
【図１】本発明の高膨張泡消火設備の横断面図である。
【図２】第１実施例の中間網の正面図である。
【図３】第２実施例の中間網の正面図である。
【符号の説明】
【００２３】
１  発泡機本体、２  発泡網、３  放射ノズル、４  中間網、４ａ  穴、５  泡溜り防止部、６  開口、７  取付部、８  ビス、ｄ  所定の距離、Ｗ  泡水溶液 
【図１】
0005048536.tif 000002
【図２】
0005048536.tif 000003
【図３】
0005048536.tif 000004